(57)【特許請求の範囲】
【請求項１】
受光又は発光の少なくともいずれかを行う光素子と、該光素子を保持して光ファイバケーブルのプラグ部がプラグ挿入孔に挿入されると光結合可能とさせる保持体とを備えた光伝送装置において、
光ファイバケーブルのプラグ部側面の帯状突起部に対応する溝部が前記プラグ挿入孔の内面に形成され、該プラグ挿入孔の溝部と該溝部に対向する前記プラグ挿入部の内面の部分とを結ぶ直線に対して略垂直方向を回転軸とし前記プラグ挿入孔内部にて開閉するシャッターが設けられ、前記回転軸は前記溝部と対向し、前記シャッターは閉じた状態で前記溝部を塞ぎ、前記プラグ挿入孔内部に、前記プラグ部が挿入されるときの挿入量を制限するためのブロックが設けられ、前記プラグ挿入孔内部における、前記シャッターの開閉に使用されるスプリングを設置するための、空いた側面を有する主ホルダーとその空いた側面を覆うための副ホルダーとが嵌合されて形成されたホルダー部のうち主ホルダーのスプリング設置側面に、前記プラグ部の挿入時における一定の嵌合力（ＥＩＡＪ  ＲＣ−５７２０）を満たすための支柱が設けられていることを特徴とする光伝送装置。
【請求項２】
前記プラグ部が挿入されるときの挿入量を制限するためのブロックは、前記プラグ挿入孔の内部における側面に設けられていることを特徴とする請求項１に記載の光伝送装置。
【請求項３】
請求項１または２に記載の光伝送装置を用いたＡＶ機器または光データ伝送機器。
【発明の詳細な説明】
【０００１】
【発明の属する技術的分野】
本発明は、光伝送装置に関するものであり、さらに詳しくは、プラグ挿入孔に挿入された光ファイバーケーブルを内部に保持された光素子と光結合させて光伝送を行い、ＡＶ機器や光データ伝送機器などに搭載される光伝送装置に関するものである。
【０００２】
【従来の技術】
近年、光通信を用いたデジタル信号の伝送が民生機器に浸透している。それらに用いられる光ファイバーケーブルの送信／受信部には、光ファイバーケーブルを用いて伝送を行わない非使用時に、受発光部と光ファイバーケーブルプラグ部との光学的／機械的接合部分へのほこりの侵入、基板組立時のフラックスなどの侵入、異物の侵入などに対する保護のための保護機構が設けられている。
【０００３】
そのような保護機構として保護キャップを用いる従来の第１光伝送装置の概略構造を図８及び図９に示す。なお、図８は保護キャップを挿入した状態（保護キャップ閉状態）を示し、（ａ）は側面図、（ｂ）はプラグ挿入口側から見た正面図である。また、図９は保護キャップを外した状態（保護キャップ開状態）を示し、（ａ）はプラグ挿入口側から見た正面図、（ｂ）は側面図である。
【０００４】
図８及び図９に示した従来の第１光伝送装置は、発光又は受光の少なくともいずれかを行う光素子がホルダー１００内部に保持されており、非使用時に光伝送装置のプラグ挿入孔１０２に保護キャップ１０１を挿入するもの、つまり、図９（ｂ）の矢印方向に保護キャップ１０１の挿入／抜取を行うものである。これにより、光伝送装置のプラグ挿入孔１０２に光ファイバーケーブルのプラグ部が挿入されていない非使用時には、保護キャップ１０１によって光伝送装置のプラグ挿入孔は完全に密閉され、外部からの異物などの侵入を防ぐことができる。
【０００５】
しかし、このような保護キャップ１０１では、形状的に保護キャップ１０１の持ち手突き出し部分が必要であるので外形が大きくなるとともに、光ファイバーケーブル使用時に保護キャップ１０１を取り外すという行為が必要となる。さらに、取り外された保護キャップ１０１は、プラグ非使用時に再度装着のため保管の必要性があり、保管場所を誤ると子供が飲み込む危険性があった。
【０００６】
これに対して、従来の第２光伝送装置として、図１０及び図１１に概略構造を示すような、保護キャップ１０１を使用しない外開きシャッター付きの光伝送装置がある。なお、図１０はシャッター閉状態を示し、（ａ）は側面図、（ｂ）はプラグ挿入口側から見た正面図である。また、図１１はシャッター開状態を示し、（ａ）はプラグ挿入口側から見た正面図、（ｂ）は側面図である。
【０００７】
この光伝送装置は、発光又は受光の少なくともいずれかを行う光素子がホルダー２００内部に保持されており、非使用時に光伝送装置のプラグ挿入孔２０２を外開きシャッター２０１で塞ぎ保護するもの、つまり、図１１（ｂ）に示すように、矢印Ｘ方向での光ファイバーケーブル２０３のプラグ部２０３ａの挿入／抜取に伴い、矢印Ｙ方向に外開きシャッター２０１を開閉するものである。
【０００８】
このように、外開きシャッター２０１を設けることで、光ファイバーケーブル使用時に保護キャップを取り外すという行為は不必要となり、シャッター２０１が光伝送装置に付属しているため保管の必要性もなく、安心して使用できるようになる。
【０００９】
しかし、そのシャッター２０１を外側に開く行為は必要であり、前記の第１光伝送装置と大差はない。また、場合によれば、プラグ部を抜取した後にシャッター２０１が開いたままであるとそれを閉じる行為も必要とされる。そのうえ、装置サイズとしては、シャッター２０１の開閉のための持ち手が少なからず必要であり、多少大きくなる。
【００１０】
さらに、従来の第３光伝送装置として、図１２及び図１３に概略構造を示すような、保護キャップ１０１を使用しない内開きシャッター付きの光伝送装置がある。なお、図１２はシャッター閉状態を示し、（ａ）は側面断面図、（ｂ）はプラグ挿入口側から見た正面図である。また、図１３はシャッター開状態を示し、（ａ）はプラグ挿入口側から見た正面図、（ｂ）は側面断面図である。
【００１１】
この光伝送装置は、発光又は受光の少なくともいずれかを行う光素子３０４がホルダー３００内部に保持されており、非使用時に光伝送装置のプラグ挿入孔３０２を内開きシャッター３０１で塞ぎ保護するものである。
【００１２】
そして、この構成では、回転軸となる軸部３０６に取り付けられた一対の腕部を備えたスプリング３０５の両腕部をそれぞれ、シャッター３０１の裏面とホルダー３００の上方内面とに当接させて、光ファイバーケーブル３０３のプラグ部３０３ａの挿入／抜取に伴い、自動的に内開きシャッター３０１が回転して開閉するようになっている。
【００１３】
つまり、プラグ非使用時は、プラグ挿入孔３０２を塞ぐように閉じていて、プラグ部３０３ａを挿入しようとシャッター３０１を押すことで、軸部３０５を回転軸としてホルダー３００内部に向かい回転移動してシャッター３０１が開き、また、プラグ部３０３ａを抜取した後は、スプリング３０５の復帰力（弾性力）により、シャッター３０１は自動的にもとのように閉じる。
【００１４】
このようにして、前記第２光伝送装置における、外開きシャッター２０１の不具合点である、開閉行為とサイズの拡大とはなくなる。
【００１５】
【発明が解決しようとする課題】
しかしながら、前記第３光伝送装置には、未だ以下のような課題がある。
【００１６】
すなわち、光ファイバーケーブルのプラグ部において、前記に図示したものは角型プラグ部であり、一対の半円形の帯状突起部がガイド突起部（図１３（ｂ）の３０３ｂ）として設けられている。そして、図１４に示すように、これに対応して、光伝送装置のプラグ挿入孔３０２の内面には、一対の半円形の対向する溝部がガイド溝部３０７として形成されている。
【００１７】
したがって、このガイド溝部３０７にガイド突起部３０３ｂを沿わせて、プラグ部３０３ａを所定位置まで挿入することにより、ホルダー３００内に保持された光素子３０４と光ファイバーケーブルのプラグ部３０３ａ先端の出射端面（又は入射端面）との間で、光結合させることができる。
【００１８】
しかし、ファイバーケーブル側ホルダー部がホルダー３００に挿入された場合、その挿入量を決定するのは、ケーブルホルダー部３０３がホルダー３００に接触することで成り立つ。ホルダー部３０３の形状が３０３ｂのように細い場合、挿入量は３０３ａ部先端部が内部素子に当たって決定される。この場合、光結合に影響を与え、ケーブル端面、素子レンズ部に傷を与え、光伝送が悪くなる。
【００１９】
このような内容は、光ファイバーケーブルのプラグ部側面の帯状突起部に対応する溝部が前記プラグ挿入孔の内面に形成され、該プラグ挿入孔の溝部と該溝部に対向する前記プラグ挿入部の内面の部分とを結ぶ直線に対して略垂直方向を回転軸とし、前記プラグ挿入孔内部で開閉するシャッターが設けられていることを特徴とする光伝送装置にも同じことが言える。
【００２０】
本発明は、以上のような課題を解決するためになされたものであって、取り外して保管することが必要な保護キャップを用いることなく、プラグ挿入孔からの異物の侵入などに対する保護を確実に行うことのできる光伝送装置を提供することを目的とする。
【００２１】
【課題を解決するための手段】
本発明の１つの観点によれば、受光又は発光の少なくともいずれかを行う光素子と、該光素子を保持して光ファイバケーブルのプラグ部がプラグ挿入孔に挿入されると光結合可能とさせる保持体とを備えた光伝送装置において、光ファイバケーブルのプラグ部側面の帯状突起部に対応する溝部が前記プラグ挿入孔の内面に形成され、該プラグ挿入孔の溝部と該溝部に対向する前記プラグ挿入部の内面の部分とを結ぶ直線に対して略垂直方向を回転軸とし前記プラグ挿入孔内部にて開閉するシャッターが設けられ、前記回転軸は前記溝部と対向し、前記シャッターは閉じた状態で前記溝部を塞ぎ、前記プラグ挿入孔内部に、前記プラグ部が挿入されるときの挿入量を制限するためのブロックが設けられ、前記プラグ挿入孔内部における、前記シャッターの開閉に使用されるスプリングを設置するための、空いた側面を有する主ホルダーとその空いた側面を覆うための副ホルダーとが嵌合されて形成されたホルダー部のうち主ホルダーのスプリング設置側面に、前記プラグ部の挿入時における一定の嵌合力（ＥＩＡＪ  ＲＣ−５７２０）を満たすための支柱が設けられていることを特徴とする光伝送装置が提供される。
【００２２】
このように構成された光伝送装置にあっては、プラグ挿入孔の溝部と該溝部に対向する前記プラグ挿入部の内面の部分とを結ぶ直線に対して略垂直方向を回転軸とし前記プラグ挿入孔内部にて開閉するシャッターが設けられているので、取り外して保管が必要な保護キャップを用いることなく、シャッターが閉じた状態でプラグ挿入孔の溝部を塞ぐことができ、プラグ挿入孔からの異物の侵入などに対する保護を確実に行うことが可能となる。
【００２３】
本発明に係る光伝送装置は、前記プラグ挿入孔の内部に、前記プラグ部が挿入されるときの挿入量を制限するためのブロックが設けられている。
【００２４】
したがって、前記プラグ部が挿入されるときの挿入量をブロックによって制限することが可能となる。
【００２５】
前記プラグが挿入されるときの挿入量を制限するためのブロックは、前記プラグ挿入孔内部における側面に設けられているのが好ましい。
【００２６】
このようなブロック（当たり面）が設けられていると、ホルダー部とファイバーケーブルホルダー部の挿入量をケーブルホルダー部の形状に関係なく決定することができる。
【００２７】
本発明の１つの観点による光伝送装置に関し、シャッターの開閉に使用するスプリングを設置するホルダー部において、スプリング設置側面は、構造上、平坦面にできない。
【００２８】
そこで、ホルダー構造としては、その空いた側面（主ホルダー１０ａ側面）を覆うために嵌合を要するパーツ（副ホルダー１０ｂ）が必要となり、そのパーツと嵌合することで１つの光伝送装置ホルダーと一体（図２）となる。しかし、嵌合のみで形成したホルダーによると、ファイバーケーブルのプラグ部の挿入時における嵌合力は一定の嵌合力（ＥＩＡＪ  ＲＣ−５７２０）を得ることができない。
【００２９】
したがって、本発明の１つの観点による光伝送装置では、前記プラグ挿入孔内部のスプリング設置側面に、ファイバーケーブルのプラグ部の挿入時における嵌合力をアップさせてＥＩＡＪ  ＲＣ−５７２０を満たすための支柱（図１６、支柱４００）を設けた。
【００３０】
【発明の実施の形態】
以下、本発明に係る１つの実施の形態を図面に基づいて説明する。なお、下記内容はあくまでも一例であり、特に本発明を限定するものではない。
【００３１】
この実施の形態における光伝送装置の概略構造を図１〜図４、図１６に示す。なお、図１は側面図、図２（ａ）はプラグ挿入口側から見たシャッター閉状態の正面図、図２（ｂ）はプラグ挿入口側から見たシャッター開状態の正面図、図３（ａ）は図１の切断線Ａ−Ａにおけるシャッター開状態の上面断面図、図４（ａ）は図２（ａ）の切断線Ｂ−Ｂにおけるシャッター開状態の側面断面図、図４（ｂ）は図２（ａ）のスプリングの巻部を切断する切断線におけるシャッター閉状態の側面断面図である。
【００３２】
この実施の形態における光伝送装置は、光伝送装置ホルダーにファイバーケーブルホルダーが挿入された場合、光伝送装置ホルダー（図１３の３０３）の形状にかかわらず挿入量を一定に制御させる。
【００３３】
すなわち、この実施の形態における光伝送装置は、受光又は発光の少なくともいずれかを行う光素子１４と、光素子１４を保持して光ファイバケーブル１３のプラグ部１３ａがプラグ挿入孔１２に挿入されると光結合可能とさせる保持体であるホルダー（主ホルダー１０ａ，副ホルダー１０ｂ）とを備えてなる。そして、光ファイバケーブル１３のプラグ部１３ａの側面における一対の帯状突起部１３ｂに対応する一対の対向状溝部１７が、プラグ挿入孔１２の内面に形成されている。
【００３４】
また、プラグ挿入孔１２におけるこれらの溝部１７どうしを結ぶ直線に対して略垂直方向を回転軸（軸部１６）としプラグ挿入孔１２の内部にて開閉するシャッター１１が設けられている。さらに、プラグ挿入孔１２の内部における側面に、プラグ部１３ａが挿入されるときの挿入量を制限するためのブロック１２ａが設けられている。シャッター１１の回転軸の軸部１６に対してほぼ平行に配置された回転軸の軸部６には、シャッター１１を開閉するためのスプリング１５が取り付けられている。スプリング１５は、一方の腕部がシャッター１１の裏面に当接し他方の腕部が副ホルダー１０ｂに当接する一対の腕部を備えてなる。
【００３５】
この光伝送装置は、図２（ａ）に示すように、シャッター１１が閉じた状態で溝部１７を塞ぐように構成されている。すなわち、この光伝送装置にあっては、主ホルダー１０ａの内部に光素子１４が保持され、副ホルダー１０ｂに形成されたプラグ挿入孔１２は非使用時にはシャッター１１により閉じられており、光ファイバケーブル１３のプラグ部１３ａがプラグ挿入孔１２へ挿入されると、シャッター１１が横開き方向に開かれる。そして、プラグ部１３ａを抜き取ると、スプリング１５の弾性力によりシャッター１１が軸部１６を回転軸として回転し、プラグ挿入孔１２が自動的に塞がれる。
【００３６】
この光伝送装置にあっては、主ホルダー１０ａに支柱（図１６の４００）が設けられている。この支柱は、ファイバーケーブル１３のプラグ部１３ａの挿入時における嵌合力をアップさせて一定の嵌合力（ＥＩＡＪ  ＲＣ−５７２０）を満たすためのものである。
【００３７】
【発明の効果】
本発明の１つの観点に係る光伝送装置にあっては、受光又は発光の少なくともいずれかを行う光素子と、該光素子を保持して光ファイバケーブルのプラグ部がプラグ挿入孔に挿入されると光結合可能とさせる保持体とを備えた光伝送装置において、光ファイバケーブルのプラグ部側面の帯状突起部に対応する溝部が前記プラグ挿入孔の内面に形成され、該プラグ挿入孔の溝部と該溝部に対向する前記プラグ挿入部の内面の部分とを結ぶ直線に対して略垂直方向を回転軸とし前記プラグ挿入孔内部にて開閉するシャッターが設けられ、前記回転軸は前記溝部と対向し、前記シャッターは閉じた状態で前記溝部を塞ぎ、前記プラグ挿入孔内部に、前記プラグ部が挿入されるときの挿入量を制限するためのブロックが設けられ、前記プラグ挿入孔内部における、前記シャッターの開閉に使用されるスプリングを設置するための、空いた側面を有する主ホルダーとその空いた側面を覆うための副ホルダーとが嵌合されて形成されたホルダー部のうち主ホルダーのスプリング設置側面に、前記プラグ部の挿入時における一定の嵌合力（ＥＩＡＪ  ＲＣ−５７２０）を満たすための支柱が設けられていることを特徴とする。
したがって、取り外して保管が必要な保護キャップを用いることなく、シャッターが閉じた状態でプラグ挿入孔の溝部を塞ぐことができ、プラグ挿入孔からの異物の侵入などに対する保護を確実に行うことが可能となる。また、ファイバーケーブルのプラグ部の挿入量をブロックによって制限することができる。さらに、空いた側面を有する主ホルダーとその空いた側面を覆うための副ホルダーとが嵌合されて形成されたホルダー部のうち主ホルダーのスプリング設置側面に、前記プラグ部の挿入時における一定の嵌合力（ＥＩＡＪ  ＲＣ−５７２０）を満たすための支柱が設けられていることで、同プラグ部の挿入時における嵌合力を、プラグ挿入孔内部のスプリング設置側面に設けられた支柱によって一定の嵌合力（ＥＩＡＪ  ＲＣ−５７２０）までアップさせることができる。
【図面の簡単な説明】
【図１】図１は、本発明の実施の形態に係る光伝送装置の概略構造を示す側面図である。
【図２】図２は、この実施の形態に係る光伝送装置のプラグ挿入口側から見た概略構造を示す正面図であり、（ａ）はシャッター閉状態、（ｂ）はシャッター開状態を示す図である。
【図３】図３は、図１の切断線Ａ−Ａにおける上面断面図であり、（ａ）はシャッター閉状態、（ｂ）はシャッター開状態を示す図である。
【図４】図４（ａ）は図２（ａ）の切断線Ｂ−Ｂにおけるシャッター開状態の側面断面図、図４（ｂ）は図２（ａ）のスプリングの巻部を切断する切断線におけるシャッター閉状態の側面断面図である。
【図５】この実施の形態に係る光伝送装置の組立を説明するための上面断面図である。
【図６】この実施の形態に係る光伝送装置の組立を説明するための上面断面図である。
【図７】丸型プラグに適用されガイド溝部が単一のものの、プラグ挿入口側から見た概略構造を示す正面図である。
【図８】従来の第１光伝送装置の概略構造を示す図である。
【図９】従来の第１光伝送装置の概略構造を示す図である。
【図１０】従来の第２光伝送装置の概略構造を示す図である。
【図１１】従来の第２光伝送装置の概略構造を示す図である。
【図１２】従来の第３光伝送装置の概略構造を示す図である。
【図１３】従来の第３光伝送装置の概略構造を示す図である。
【図１４】従来の第３光伝送装置の概略構造を示す図である。
【図１５】従来の第３光伝送装置の概略構造を示す図である。
【図１６】従来の第３光伝送装置のファイバーケーブルホルダーとの嵌合力アップのために主ホルダー部に設ける、この実施の形態に係る光伝送装置の支柱を示す図である。
【図１】
0003916384.tif 000002
【図２】
0003916384.tif 000003
【図３】
0003916384.tif 000004
【図４】
0003916384.tif 000005
【図５】
0003916384.tif 000006
【図６】
0003916384.tif 000007
【図７】
0003916384.tif 000008
【図８】
0003916384.tif 000009
【図９】
0003916384.tif 000010
【図１０】
0003916384.tif 000011
【図１１】
0003916384.tif 000012
【図１２】
0003916384.tif 000013
【図１３】
0003916384.tif 000014
【図１４】
0003916384.tif 000015
【図１５】
0003916384.tif 000016
【図１６】
0003916384.tif 000017